(57)【要約】【課題】節電状態を誤判断し難く、ユーザーの使い勝手に優れた画像処理装置、および画像処理装置の節電制御方法を提供すること。【解決手段】複合機１のコントローラ１０は、操作パネル２０への操作入力から所定時間経過後に、スキャナ３０および印刷エンジン４０が省電力状態となっているかを確認して、スキャナ３０および印刷エンジン４０が省電力状態であれば、操作パネル２０のパネル節電制御部２２に節電指示を出す。節電指示を受けたパネル節電制御部２２は、操作パネル２０を省電力状態とする。これにより、操作パネル２０が省電力状態である場合は、スキャナ３０および印刷エンジン４０は常に省電力状態であるので、操作パネル２０の状態から複合機１の動作状態をユーザーが誤認識してしまうことを防止できる。【選択図】図１
2009268046.tif 000002
【特許請求の範囲】
【請求項１】
印刷を実行する印刷部または画像読取を実行する読取部の少なくとも一方の装置と、
ユーザーからの操作を受け付ける操作パネルとを備え、
前記装置と前記操作パネルとのそれぞれを個別に、電力消費が抑制された省電力状態に制御可能な画像処理装置であって、
前記操作パネルへの操作入力がなくなった後、前記装置が省電力状態であるか否かを判断し、前記装置が省電力状態であると判断した場合に、前記操作パネルを省電力状態に制御する制御部、を備えることを特徴とする画像処理装置。
【請求項２】
請求項１に記載の画像処理装置において、
前記制御部は、前記操作パネルに操作入力がない時間が所定時間経過したときに、前記装置が省電力状態であるか否かを判断することを特徴とする画像処理装置。
【請求項３】
請求項１または２に記載の画像処理装置において、
前記装置は、処理を行ってから所定時間が経過したときに省電力状態となり、処理を行う際には省電力状態が解除されて非省電力状態となり、
前記制御部は、前記装置についての省電力状態の解除に応じて、前記操作パネルを省電力状態とする制御を解除することを特徴とする画像処理装置。
【請求項４】
請求項１ないし３のいずれか一項に記載の画像処理装置において、
前記装置とは個別に省電力状態に制御され、ファクシミリ通信を実行するための通信部をさらに備え、
前記制御部は、前記操作パネルが省電力状態であるときに、読取処理を伴わないファクシミリ送信または印刷処理を伴わないファクシミリ受信を前記通信部が行う場合に、ファクシミリ通信の処理に関わらずに、前記操作パネルの省電力状態を維持するように制御することを特徴とする画像処理装置。
【請求項５】
請求項４に記載の画像処理装置において、
前記印刷部を備え、
前記制御部は、ファクシミリ通信による印刷処理が許可された所定の時間帯を除く時間帯に、前記通信部がファクシミリデータを受信した場合、前記受信したファクシミリデータを蓄積すると共に、前記通信部による前記ファクシミリデータを受信する処理に関わらずに、前記操作パネルの省電力状態を維持するように制御し、且つ前記所定の時間帯が到来したときに前記蓄積されたファクシミリデータに従う印刷処理を実行させるよう前記印刷部を制御することを特徴とする画像処理装置。
【請求項６】
請求項４または５に記載の画像処理装置において、
前記読取部を備え、
前記制御部は、前記読取部により読み取られた画像のファクシミリデータを送信するときに前記ファクシミリデータを蓄積し、前記蓄積されたファクシミリデータを前記通信部に再送信させるリダイヤル機能を有し、
前記通信部が前記リダイヤル機能によりファクシミリデータを送信する場合、前記ファクシミリデータを送信する処理に関わらずに、前記操作パネルの省電力状態を維持するように制御することを特徴とする画像処理装置。
【請求項７】
請求項１ないし６のいずれか一項に記載の画像処理装置において、
前記操作パネルは、表示部を含み、
前記省電力状態では前記表示部による表示を行うことなく、省電力状態が解除された状態において前記表示部による表示を行うことを特徴とする画像処理装置。
【請求項８】
印刷を実行する印刷部または画像読取を実行する読取部の少なくとも１つの装置と、
ユーザーからの操作を受け付ける操作パネルとを備え、
前記装置と前記操作パネルとのそれぞれを個別に、電力消費が抑制された省電力状態に制御可能な画像処理装置の節電制御方法であって、
前記操作パネルへの操作入力がなくなった後、前記装置が省電力状態であるか否かを判断し、前記装置が省電力状態であると判断した場合に、前記操作パネルを省電力状態に制御することを特徴とする画像処理装置の節電制御方法。
【発明の詳細な説明】
【技術分野】
【０００１】
本発明は、操作パネルを省電力状態に制御することにより電力消費を抑制する節電機能を有する画像処理装置、および画像処理装置の節電制御方法に関する。
【背景技術】
【０００２】
従来、ファクシミリ装置や複合機等の画像処理装置には、ユーザーが操作等を行うための操作パネルが設けられており、所定の条件を満たした場合に、操作パネルを通常の動作状態より電力消費が抑制された省電力状態とする節電制御を行うことによって省電力化を図るようにしたものが知られている（例えば、特許文献１参照）。
【０００３】
例えば、電子写真方式の画像形成装置の場合、特に定着器による電力消費が激しいため、操作パネルやホストコンピュータ等からの印刷指示が一定時間内になかったときに、定着器を含む印刷エンジンを省電力状態に移行させる制御を行うことによって省電力化を図ることがある。同様に、スキャナなどの読取処理を行う装置の場合であれば、操作パネルやホストコンピュータ等からの読取指示が一定時間内になかったときに、原稿等を照明する光源の消灯等の制御を行うことによって省電力化を図ることができる。
【０００４】
【特許文献１】特開平１０−２１５３３６号公報
【発明の開示】
【発明が解決しようとする課題】
【０００５】
しかしながら、特許文献１に記載の装置では、操作パネルへの指示入力が一定時間内になかった場合に、表示部の照明装置の電源を落とすことによって電力消費を抑制するようになっており、印刷エンジンやスキャナとは独立した節電の制御が行われるので、印刷エンジンの定着器やスキャナの光源等、装置内部に備わる構成については動作しているにも関わらずに、装置外部に露出した操作パネルが省電力状態となってしまう状況が生じることがある。このため、ユーザーが、操作パネルの状態から装置の状態を判断すると、印刷エンジンやスキャナ等、装置内部の構成は起動しているにも関わらずに、その装置が省電力状態になっていると誤認識してしまうという課題があった。
【課題を解決するための手段】
【０００６】
本発明は、上述の課題の少なくとも一部を解決するためになされたものであり、以下の形態または適用例として実現することが可能である。
【０００７】
［適用例１］印刷を実行する印刷部または画像読取を実行する読取部の少なくとも一方の装置と、ユーザーからの操作を受け付ける操作パネルとを備え、前記装置と前記操作パネルとのそれぞれを個別に、電力消費が抑制された省電力状態に制御可能な画像処理装置であって、前記操作パネルへの操作入力がなくなった後、前記装置が省電力状態であるか否かを判断し、前記装置が省電力状態であると判断した場合に、前記操作パネルを省電力状態に制御する制御部、を備えることを特徴とする画像処理装置。
【０００８】
この構成によれば、操作パネルが省電力状態であれば、画像処理装置に備わる印刷部または読取部の装置についても省電力状態となるので、操作パネルの外見から画像処理装置の状態を判断したユーザーが、印刷部または読取部の装置を含めた画像処理装置の状態を誤認識してしまうことが少なくなる。したがって、ユーザーにとっての使い勝手に優れた節電制御を実現することができる。
【０００９】
［適用例２］上記画像処理装置において、前記制御部は、前記操作パネルに操作入力がない時間が所定時間経過したときに、前記装置が省電力状態であるか否かを判断することを特徴とする画像処理装置。
【００１０】
この構成によれば、操作パネルが操作入力を受けてから所定時間の間は、操作パネルが省電力状態となることなく動作し、所定時間の経過後に省電力状態とすることができる。
【００１１】
［適用例３］上記画像処理装置において、前記装置は、処理を行ってから所定時間が経過したときに省電力状態となり、処理を行う際には省電力状態が解除されて非省電力状態となり、前記制御部は、前記装置についての省電力状態の解除に応じて、前記操作パネルを省電力状態とする制御を解除することを特徴とする画像処理装置。
【００１２】
この構成によれば、印刷部または読取部の装置が処理を行う際に省電力状態を解除した場合、操作パネルの節電制御も解除されることになるので、操作パネルの外見から画像処理装置の状態を判断したユーザーが、画像処理装置の状態を誤認識する可能性が低減する。
【００１３】
［適用例４］上記画像処理装置において、前記装置とは個別に省電力状態に制御され、ファクシミリ通信を実行するための通信部をさらに備え、前記制御部は、前記操作パネルが省電力状態であるときに、読取処理を伴わないファクシミリ送信または印刷処理を伴わないファクシミリ受信を前記通信部が行う場合に、ファクシミリ通信の処理に関わらずに、前記操作パネルの省電力状態を維持するように制御することを特徴とする画像処理装置。
【００１４】
この構成によれば、ファクシミリデータの送信時に読取処理を伴わないファクシミリ通信、またはファクシミリデータの受信時に印刷処理を伴わないファクシミリ通信を行う場合、操作パネルの省電力状態が解除されることなく、維持されるので、ファクシミリデータの受信時または送信時に操作パネルの省電力状態が解除されることによる無駄な電力消費を防ぐことができる。
【００１５】
［適用例５］上記画像処理装置において、前記印刷部を備え、前記制御部は、ファクシミリ通信による印刷処理が許可された所定の時間帯を除く時間帯に、前記通信部がファクシミリデータを受信した場合、前記受信したファクシミリデータを蓄積すると共に、前記通信部による前記ファクシミリデータを受信する処理に関わらずに、前記操作パネルの省電力状態を維持するように制御し、且つ前記所定の時間帯が到来したときに前記蓄積されたファクシミリデータに従う印刷処理を実行させるよう前記印刷部を制御することを特徴とする画像処理装置。
【００１６】
この構成によれば、印刷処理が許可されていない時間帯に受信したファクシミリデータの印刷は、その後の許可された時間帯に行われ、印刷処理を伴わない受信時には操作パネルの省電力状態が解除されることなく、維持されるので、ファクシミリデータの受信時に操作パネルが非省電力状態となることによる無駄な電力消費を防ぐことができる。
【００１７】
［適用例６］上記画像処理装置において、前記読取部を備え、前記制御部は、前記読取部により読み取られた画像のファクシミリデータを送信するときに前記ファクシミリデータを蓄積し、前記蓄積されたファクシミリデータを前記通信部に再送信させるリダイヤル機能を有し、前記通信部が前記リダイヤル機能によりファクシミリデータを送信する場合、前記ファクシミリデータを送信する処理に関わらずに、前記操作パネルの省電力状態を維持するように制御することを特徴とする画像処理装置。
【００１８】
この構成によれば、リダイヤル機能によってファクシミリデータを送信する場合に、操作パネルの省電力状態が解除されることなく、維持されるので、リダイヤル機能を用いたファクシミリデータの送信時に操作パネルが非省電力状態となることによる無駄な電力消費を防ぐことができる。
【００１９】
［適用例７］上記画像処理装置において、前記操作パネルは、表示部を含み、前記省電力状態では前記表示部による表示を行うことなく、省電力状態が解除された状態において前記表示部による表示を行うことを特徴とする画像処理装置。
【００２０】
この構成によれば、操作パネルに備わる表示部の表示がなされているか否かにより、ユーザーは、画像処理装置の状態を簡単に判断することができる。
【００２１】
［適用例８］印刷を実行する印刷部または画像読取を実行する読取部の少なくとも１つの装置と、ユーザーからの操作を受け付ける操作パネルとを備え、前記装置と前記操作パネルとのそれぞれを個別に、電力消費が抑制された省電力状態に制御可能な画像処理装置の節電制御方法であって、前記操作パネルへの操作入力がなくなった後、前記装置が省電力状態であるか否かを判断し、前記装置が省電力状態であると判断した場合に、前記操作パネルを省電力状態に制御することを特徴とする画像処理装置の節電制御方法。
【００２２】
このようにすれば、操作パネルが省電力状態であれば、画像処理装置に備わる印刷部または読取部の装置についても省電力状態となるので、操作パネルの外見から画像処理装置の状態を判断したユーザーが、印刷部または読取部の装置を含めた画像処理装置の状態を誤認識してしまうことが少なくなる。したがって、ユーザーにとっての使い勝手に優れた節電制御を実現することができる。
【発明を実施するための最良の形態】
【００２３】
以下、本発明の実施の形態について実施例に基づいて説明する。
【００２４】
図１は、本実施例に係る複合機の構成を示した図である。図１に示すように、画像処理装置の一例である複合機１は、コントローラ（制御部）１０と、操作パネル２０と、スキャナ（読取部）３０と、印刷エンジン（印刷部）４０と、ファクシミリ部（通信部）５０と、を備えている。
【００２５】
また、複合機１は、ＬＡＮなどのネットワークを介して外部のコンピュータ２等とのデータ通信、およびファックス回線網を介して他のファクシミリ装置３等とのファクシミリ通信が可能に構成されている。この複合機１は、プリンタ機能、コピー機能、スキャナ機能、ファックス機能を有し、プリンタ機能、コピー機能、スキャナ機能、ファックス機能の利用状況に応じて、操作パネル２０、スキャナ３０、印刷エンジン４０のそれぞれを適宜、省電力状態に制御する節電制御を行うものである。以下、複合機１の各構成について説明する。
【００２６】
コントローラ１０は、複合機１の各部の動作を制御する制御装置であり、ＣＰＵ１１と、ＲＯＭ１２と、ＲＡＭ１３と、ハードディスクドライブ（以下、「ＨＤ」という）１４と、ネットワークＩ／Ｆ１５と、ファクシミリＩ／Ｆ１６と、パネルＩ／Ｆ１７と、スキャナＩ／Ｆ１８と、印刷エンジンＩ／Ｆ１９と、を備えている。また、これらの各構成は内部バスを介して相互に接続されている。
【００２７】
ＣＰＵ１１は、コントローラ１０の主制御装置であり、ＲＡＭ１３を作業領域等として用いて、ＲＯＭ１２またはＨＤ１４に格納された各種のプログラムを実行することにより、スキャナ３０に読取指示を出す処理、印刷エンジン４０に印刷指示を出すと共に印刷用のデータを受け渡す処理、ファクシミリ部５０によるファクシミリ通信を制御する処理等、複合機１を制御する様々な処理を行う。
【００２８】
ネットワークＩ／Ｆ１５は、ネットワークに接続するインターフェイスであり、複合機１は、ネットワークＩ／Ｆ１５を介してネットワークに接続することにより、外部のコンピュータ２等と通信可能に接続される。ファクシミリＩ／Ｆ１６はファクシミリ部５０と接続されるインターフェイス、パネルＩ／Ｆ１７は操作パネル２０に接続するインターフェイス、スキャナＩ／Ｆ１８はスキャナ３０に接続するインターフェイス、印刷エンジンＩ／Ｆ１９は印刷エンジン４０に接続するインターフェイスである。
【００２９】
ファクシミリ部５０は、ファックス回線網を介してファクシミリ通信を行う部分であり、コントローラ１０からの制御の下で、送信対象とする画像データを符号化してファクシミリ通信用のファクシミリデータを生成する処理、所定の通信プロトコルに従ってファクシミリデータの送信および受信等のファクシミリ通信を行う処理、受信したファクシミリデータの逆符号化を行って画像データを取得する処理等を行う。
【００３０】
スキャナ３０は、原稿台にセットされた原稿を読み取って、原稿のイメージデータを生成するためのハードウェア部であり、原稿を照射する光源ランプ、原稿の反射光を電気信号に変換する撮像素子を搭載したキャリッジ、およびキャリッジを原稿台に沿って走査させる走査機構等を含む読取機構部３１と、読取機構部３１を含むスキャナ３０の節電制御等を行うスキャナ節電制御部３２と、を有する。
【００３１】
また、スキャナ３０の読取機構部３１が原稿を読み取ることによって生成されたイメージデータは、コントローラ１０内のＲＡＭ１３またはＨＤ１４に格納される。なお、スキャナ３０としては、複数枚の原稿がセットされた場合に、この原稿を１枚ずつ原稿台に自動的に送出する自動原稿送出装置（ＡＤＦ：Auto Document Feeder）を設けた構成としてもよい。このスキャナ３０の節電制御は、スキャナ節電制御部３２が、光源ランプの消灯、撮像素子や走査機構等への電力供給を切断もしくは供給電力を低減させ、スキャナ３０を電力消費を抑制した省電力状態に制御することにより行われる。
【００３２】
印刷エンジン４０は、例えば、スキャナ３０で読み取られたイメージデータから生成された印刷データやファクシミリ部５０がファクシミリデータから生成した印刷データ等、複合機１の内部で生成された印刷データ、またはコンピュータ２から受信した印刷データに基づいて、印刷用紙等の印刷媒体に印刷を行うハードウェア部であり、露光装置、感光体ドラム、現像装置、転写装置、定着器等を備えた電子写真方式の印刷を行う印刷機構部４１と、印刷機構部４１の節電制御等を行うエンジン節電制御部４２と、を有する。なお、本実施例では、電子写真方式の印刷を行うものとしているが、印刷方式としてはこれに限られることなく、インクジェット方式や熱転写方式等の他の印刷方式を用いた構成であってもよい。
【００３３】
印刷エンジン４０はコントローラ１０から印刷用の印刷データを受け取って、印刷機構部４１はこの印刷データに従って電子写真方式の印刷を行う。印刷エンジン４０の節電制御は、エンジン節電制御部４２が、印刷機構部４１の各部への電力供給を切断もしくは供給電力を低減させ、電力消費が抑制された省電力状態に印刷エンジン４０を制御することにより行われる。
【００３４】
操作パネル２０は、この複合機１の前に立つユーザーが複合機１を操作するために複合機１の外面に設けられたパネルであり、液晶パネル等による表示を行うタッチパネル（表示部）２１と、各種の操作ボタンと、タッチパネル２１を含む操作パネル２０の節電制御等を行うパネル節電制御部２２と、を有している。ユーザーは、タッチパネル２１に表示される画面に従ってタッチパネル２１または各種操作ボタンを操作することにより、様々な指示を入力することや、複合機１の様々な設定を変更することができる。
【００３５】
パネル節電制御部２２は、コントローラ１０から受ける節電の指示に従って操作パネル２０を省電力状態とする節電制御や節電制御の解除を行う部分である。パネル節電制御部２２は、具体的には、タッチパネル２１の光源を消灯させる制御や、タッチパネル２１を駆動するドライバ回路等への電力供給を切断または供給電力を低減する制御を行うことにより、電力消費が抑制された省電力状態に制御する。
【００３６】
以上に説明した複合機１では、スキャナ３０がイメージデータを生成し、このイメージデータに基づいて生成された印刷データに従って印刷エンジン４０が印刷を実行することにより、コピー機能が実現される。また、ネットワークを介して他のコンピュータ２から送信された印刷データを受信し、受信した印刷データに従って印刷エンジン４０が印刷を実行したり、コントローラ１０のＨＤ１４に保存されたデータについて印刷エンジン４０が印刷を実行したりすることにより、プリンタ機能が実現される。さらに、スキャナ３０が原稿を読み取ることによって生成されたイメージデータを、複合機１内のＨＤ１４や、ネットワークを介してユーザーが指定したコンピュータ２に保存することによりスキャナ機能が実現される。そして、ファックス回線網を介して他のファクシミリ装置３から送信されたファクシミリデータを受信し、受信したファクシミリデータから生成された印刷データに従って印刷エンジン４０が印刷を実行することにより、ファックス機能のうちのファックス受信機能が実現される。また、スキャナ３０がイメージデータを生成し、このイメージデータに基づいて生成されたファクシミリデータを、ファックス回線網を介して他のファクシミリ装置３に送信することにより、ファックス機能のうちのファックス送信機能が実現される。
【００３７】
また、複合機１のファックス機能には、ファクシミリ受信の印刷出力を行う時間帯を指定する時間帯指定機能およびリダイヤル機能（再送信機能）が含まれている。ファクシミリ受信した内容の印刷出力を行う時間帯を操作パネル２０からユーザーによって指定可能とし、コントローラ１０の制御の下で、指定時間帯を除く時間帯に受信したファクシミリデータはＲＡＭ１３やＨＤ１４等に蓄積し、指定時間帯が到来すると、蓄積されたファクシミリデータの印刷出力を行うことにより、ファックス機能の時間帯指定機能が実現される。こうして、指定時間帯以外の時間帯におけるファクシミリ受信では、受信時に印刷処理を伴わないよう制御される。
【００３８】
また、ファクシミリデータを送信する際にファクシミリデータをＲＡＭ１３やＨＤ１４等に蓄積しておき、ファクシミリデータの送信先が話し中等のため、ファクシミリデータを送信できなかったとき等に、原稿の再読取を行うことなく、蓄積されたファクシミリデータを同一の送信先に再送信することにより、ファックス機能のリダイヤル機能が実現される。すなわち、リダイヤル機能によるファクシミリ通信では、送信時に送信できなかった原稿の読取処理を伴うことなく、送信できなかった原稿についてのファクシミリデータが相手先に再送信される。さらに、リダイヤル機能のうちの自動リダイヤル機能が設定されているときには、ユーザーによる再送信の操作を受け付けることなく、送信できなかった原稿についてのファクシミリデータが相手先に再送信される。
【００３９】
ここで、複合機１における節電制御について説明する。複合機１では、スキャナ３０の使用状況がスキャナ節電制御部３２により監視されており、スキャナ節電制御部３２は、予め設定された所定時間の間にスキャナ３０の使用がなかった場合に、スキャナ３０を省電力状態に制御する節電制御に切り替える。そして、スキャナ３０の使用があるときに、スキャナ３０の節電制御が解除される。同様に、印刷エンジン４０の使用状況がエンジン節電制御部４２により監視されており、エンジン節電制御部４２は、予め設定された所定時間の間に印刷エンジン４０の使用がなかった場合に、印刷エンジン４０を省電力状態に制御する節電制御に切り替える。
【００４０】
また、ファクシミリ部５０が行う処理に対しては、受信したファクシミリデータについて印刷出力を行う際に、印刷エンジン４０を使用することになるので、印刷エンジン４０の節電制御が解除される。原稿を読み取った画像のファクシミリデータを送信する際には、スキャナ３０を使用することになるので、スキャナ３０の節電制御が解除される。
【００４１】
なお、上述したように、時間帯指定機能による指定時間帯を除く時間帯にファクシミリデータを受信した場合、受信時に印刷エンジン４０を使用することがないので、指定時間帯を除き、ファクシミリ通信をきっかけに印刷エンジン４０の節電制御が解除されることはない。そして、指定時間帯が到来したときに、印刷エンジン４０が節電状態であれば、印刷エンジン４０の節電制御が解除されてファクシミリデータの印刷が実行される。また、リダイヤル機能によりスキャナ３０によって既に読み取られ、ＲＡＭ１３やＨＤ１４に保存されたファクシミリデータを再送信する際には、再送信時にスキャナ３０を使用することがないので、スキャナ３０の節電制御が解除されることがなく、スキャナ３０は省電力状態に維持される。
【００４２】
このように、スキャナ３０は、所定時間の間にスキャナ３０の使用がないときに節電制御が行われ、印刷エンジン４０は、所定時間の間に印刷エンジン４０の使用がないときに節電制御が行われることにより、複合機１の消費電力が適宜削減されるようになっている。
【００４３】
一方、操作パネル２０の節電制御は、スキャナ３０および印刷エンジン４０の状態を参照して行われ、スキャナ３０および印刷エンジン４０が共に省電力状態であるとコントローラ１０が判断し、且つ所定時間の間操作パネル２０に対するユーザー操作がない場合に、パネル節電制御部２２によって省電力状態に制御される。
【００４４】
図２は、操作パネル２０の節電制御を説明するための図である。スキャナ３０および印刷エンジン４０が共に非省電力状態であるときや（図２のパターンＡ参照）、スキャナ３０または印刷エンジン４０の一方が省電力状態であるときは（図２のパターンＢ，Ｃ参照）、操作パネル２０は非省電力状態に制御される。そして、操作パネル２０へのユーザー操作がなく所定時間が経過した時点でスキャナ３０および印刷エンジン４０が共に省電力状態となっている場合に、操作パネル２０が省電力状態に制御される（図２のパターンＥ参照）。スキャナ３０および印刷エンジン４０が省電力状態であっても、所定時間の間に操作パネル２０へのユーザー操作があれば操作パネル２０は非省電力状態とされる（図２のパターンＤ参照）。これにより、操作パネル２０が省電力状態であるときには、スキャナ３０および印刷エンジン４０は常に省電力状態であり、操作パネル２０が省電力状態となっているにも関わらずに、スキャナ３０または印刷エンジン４０が非省電力状態になる状況が発生することのないよう制御される。
【００４５】
次に、複合機１において行われる節電制御について、フローチャートを用いて詳細に説明する。以下では、まず、最後にスキャナ３０を使用する機能が実行されず、スキャナ３０を使用しない時間が所定時間経過したとき、スキャナ３０を省電力状態に移行させるスキャナ節電制御処理について、図３のフローチャートに従って説明する。
【００４６】
なお、図３の処理開始に先立ち、図１に示すように、操作パネル２０、スキャナ３０、印刷エンジン４０のそれぞれの節電制御部に備わるメモリに、省電力状態であるか否かを示す節電状態情報ＳＤが格納され、パネル節電制御部２２のメモリには、所定時間の間に操作パネル２０へのユーザー操作がない状態であるか否かを示す操作状況情報ＯＤがさらに格納されているものとする。複合機１の起動直後の初期状態においては、節電状態情報ＳＤは「非省電力状態」、操作状況情報ＯＤは「ユーザー操作あり」である。
【００４７】
例えば、複合機１に電源が投入されてスキャナ３０が起動した後、スキャナ３０内部において図３のスキャナ節電制御処理が開始される。スキャナ節電制御処理が開始されると、まず、スキャナ節電制御部３２は、コントローラ１０から原稿を読み取る読取指示があって読取処理を実行中になっているか否かを判断し（ステップＳ１００）、読取指示がなく、読取処理実行中でなかった場合（ステップＳ１００：Ｎｏ）、スキャナ３０の節電状態情報ＳＤを参照して、スキャナ３０が省電力状態であるか否かを判断する（ステップＳ１５５）。スキャナ３０が省電力状態になっているときには（ステップＳ１５５：Ｙｅｓ）、ステップＳ１００に戻る。
【００４８】
また、スキャナ３０が省電力状態になっていないときには（ステップＳ１５５：Ｎｏ）、スキャナ節電制御部３２の内部に備わるタイマが起動しているか否かを判断する（ステップＳ１６０）。このタイマは、スキャナ３０が使用されていない時間をカウントするためのものである。タイマが起動していなければ（ステップＳ１６０：Ｎｏ）、スキャナ３０が使用されていない期間を計測するため、タイマを起動して初期値からのカウントを開始してから（ステップＳ１９０）、ステップＳ１００に戻る。
【００４９】
ステップＳ１９０からステップＳ１００に処理が戻って、読取指示がなく読取処理実行中になっていないと再び判断され（ステップＳ１００：Ｎｏ）、スキャナ３０が省電力状態になっていなければ（ステップＳ１５５：Ｎｏ）スキャナ節電制御部３２は、再び行うステップＳ１６０の判断においてタイマが起動していると判断して（ステップＳ１６０：Ｙｅｓ）、タイマを起動してから所定時間が経過したか否かを判断する（ステップＳ１７０）。所定時間が経過していなければ（ステップＳ１７０：Ｎｏ）、ステップＳ１００に戻って、ステップＳ１００，Ｓ１５５，Ｓ１６０，Ｓ１７０の処理が繰り返し行われる。
【００５０】
読取指示を受けていない、且つ読取処理を実行中でない間、ステップＳ１００，Ｓ１５５，Ｓ１６０，Ｓ１７０の処理を繰り返すうち、ステップＳ１７０において、タイマが起動されてから所定時間が経過したと判断されるようになると（ステップＳ１７０：Ｙｅｓ）、読取指示がなく、読取処理実行中でない期間が所定時間以上となったので、スキャナ節電制御部３２は節電制御を行ってスキャナ３０を省電力状態とする（ステップＳ１８０）。このとき、スキャナ節電制御部３２は、スキャナ３０の節電状態情報ＳＤを省電力状態を示す情報に更新してから（ステップＳ１８２）、タイマを停止する（ステップＳ１８４）。
【００５１】
その後、ステップＳ１００の処理に戻り、コントローラ１０から読取指示を受けるまでの間は、ステップＳ１００、Ｓ１５５〜Ｓ１８４の処理が繰り返し行われて、スキャナ３０は省電力状態に維持される。そして、操作パネル２０へのユーザー操作等により、ユーザーのスキャナ機能、コピー機能、もしくはファクシミリ送信機能の利用に伴い原稿の読取指示が入力されると、コントローラ１０はスキャナ３０に読取指示を出す。この読取指示を受けたスキャナ節電制御部３２は、読取指示があると判断して（ステップＳ１００：Ｙｅｓ）、スキャナ３０の節電状態情報ＳＤを参照して、スキャナ３０が省電力状態であるか否かを判断する（ステップＳ１１０）。スキャナ３０が省電力状態であれば（ステップＳ１１０：Ｙｅｓ）、スキャナ節電制御部３２は、スキャナ３０を読取処理が可能な状態とするために、節電制御を解除する（ステップＳ１２０）。このとき、スキャナ３０の節電状態情報ＳＤは非省電力状態を示す情報に更新される。そして、節電制御が解除されたスキャナ３０が、原稿台にセットされた原稿を読み取る読取処理を行ってから（ステップＳ１３０）、ステップＳ１００に戻って次の読取指示を待ち続ける。
【００５２】
また、読取指示が入力された後のステップＳ１１０の判断において、スキャナ３０が省電力状態でないと判断されると（ステップＳ１１０：Ｎｏ）、スキャナ節電制御部３２は、タイマが起動しているか否かを判断する（ステップＳ１４０）。タイマが起動されていれば（ステップＳ１４０：Ｙｅｓ）、読取指示があったため、タイマを停止して読取指示がなく、読取処理が実行されていない期間の計測を終える（ステップＳ１５０）。そして、タイマが起動していた場合にはタイマを停止した後、または、タイマが起動していなかった場合（ステップＳ１４０：Ｎｏ）、コントローラ１０からの読取指示に応じて、スキャナ３０は読取処理を行う（ステップＳ１３０）。こうして、原稿の読取処理が行われると、ステップＳ１００に戻って次の読取指示を待ち続ける。
【００５３】
以上に述べたスキャナ節電制御処理により、複合機１のスキャナ３０は、スキャナ３０の使用が所定時間の間になかったときに省電力状態に移行させる節電制御が行われ、スキャナ３０を使用する読取指示を受けたときには節電制御を解除して読取処理が行われる。これにより、スキャナ３０の使用状況に応じて、スキャナ３０の電力消費が適宜抑制される。
【００５４】
なお、スキャナ３０において行われる節電処理について上述したが、印刷エンジン４０において行われる節電制御の処理も同様である。例えば、操作パネル２０からのコピーを行う旨の指示や、コンピュータ２からの印刷指示や、ファクシミリ受信機能による印刷エンジン４０の使用が所定時間の間になかったときに印刷エンジン４０を省電力状態に移行させる節電制御が行われる。そして、印刷エンジン４０を使用する印刷指示を受けたときには節電制御を解除して印刷処理が行われることにより、印刷エンジン４０の使用状況に応じて、印刷エンジン４０の電力消費が適宜抑制される。
【００５５】
次に、操作パネル２０の電力消費を抑制するために、コントローラ１０側で行われるパネル節電制御処理および操作パネル２０側で行われるパネル節電制御処理について説明する。なお、コントローラ１０側で行われるパネル節電制御処理は、操作パネル２０が非操作で所定時間経過した後、スキャナ３０が省電力状態であり、且つ印刷エンジン４０が省電力状態である場合に、操作パネル２０に省電力状態へ移行させる指示を出すものである。一方、操作パネル２０側で行われるパネル節電制御処理は、コントローラ１０からの指示に基づき操作パネル２０を省電力状態に移行させる制御、コントローラ１０からの指示またはユーザーからの操作パネル２０への操作に基づいて省電力状態を解除すると共に、操作パネル２０の節電状態情報ＳＤを更新する制御、および操作パネル２０へのユーザー操作がない状態が所定時間継続したかを検出し、操作状況情報ＯＤを更新する制御を行うものである。
【００５６】
例えば、複合機１の電源が投入されてコントローラ１０が起動した後に、図４に示すパネル節電制御処理が開始される。このコントローラ１０側のパネル節電制御処理では、まず、コントローラ１０は、操作パネル２０の節電状態情報ＳＤを参照して、操作パネル２０の状態を確認し（ステップＳ２００）、省電力状態となっているか否かを判断する（ステップＳ２０５）。起動直後では、節電状態情報ＳＤの初期値は省電力状態でないため（ステップＳ２０５：Ｎｏ）、コントローラ１０は、操作パネル２０の操作状況情報ＯＤを参照して、所定時間の間、操作パネル２０へのユーザー操作がなかったか否かを判断する（ステップＳ２１０）。起動直後には、上述したように、操作状況情報ＯＤの初期値が「ユーザー操作あり」となっているため、操作パネル２０へのユーザー操作があったと判断されて（ステップＳ２１０：Ｎｏ）、ステップＳ２００に戻って、ステップＳ２００，Ｓ２０５，Ｓ２１０の処理が繰り返し行われる。
【００５７】
ここで、コントローラ１０側で図４に示すパネル節電制御処理が行われているとき、操作パネル２０側では、図５のフローチャートに従う操作パネル２０側のパネル節電制御処理が行われている。コントローラ１０側のパネル節電制御処理において、起動後にステップＳ２００，Ｓ２０５，Ｓ２１０の処理を繰り返しているとき、操作パネル２０側において、パネル節電制御部２２は、操作パネル２０を省電力状態に移行させる旨の節電指示をコントローラ１０から受けておらず（ステップＳ３００：Ｎｏ）、コントローラ１０からの操作パネル２０の省電力状態を解除する旨の節電解除指示もコントローラ１０から受けていないため（ステップＳ３１５：Ｎｏ）、操作パネル２０へのユーザー操作があったか否かを判断する（ステップＳ３３０）。操作パネル２０への操作がなかった場合（ステップＳ３３０：Ｎｏ）、起動直後は省電力状態でなく（ステップＳ３５０：Ｎｏ）、タイマが起動していないので（ステップＳ３５５：Ｎｏ）、パネル節電制御部２２内部に備わるタイマを起動して初期値からのカウントを開始する（ステップＳ３７０）。なお、ここで起動するタイマは、操作パネル２０に対するユーザー操作がない間の経過時間を計測するためのものである。
【００５８】
タイマ起動後、ステップＳ３００に処理が戻り、ステップＳ３００、ステップＳ３１５、ステップＳ３３０、ステップＳ３５０と処理を繰り返して、ステップＳ３５５に進むと、タイマが起動していると判断される（ステップＳ３５５：Ｙｅｓ）。この場合、パネル節電制御部２２は、ステップＳ３７０においてタイマが起動されてから所定時間が経過したか否かを判断する（ステップＳ３６０）。所定時間が経過していなければ（ステップＳ３６０：Ｎｏ）、ステップＳ３００に戻って、ステップＳ３００，Ｓ３１５，Ｓ３３０，Ｓ３５０，Ｓ３５５，Ｓ３６０の処理を繰り返す。処理を繰り返し行ううち、タイマを起動してから所定時間が経過すると（ステップＳ３６０：Ｙｅｓ）、所定時間の間ユーザー操作がないことが確認できたので、「ユーザー操作なし」を示す操作状況情報ＯＤをメモリに記憶することにより操作状況情報ＯＤを更新した後（ステップＳ３６５）、タイマを停止してから（ステップＳ３６７）、ステップＳ３００の処理に戻る。
【００５９】
こうして操作パネル２０側のパネル節電制御処理において、所定時間の間ユーザー操作がない旨の操作状況情報ＯＤがメモリに記憶されると、図４の説明に戻って、コントローラ１０側のパネル節電制御処理において、コントローラ１０は、操作状況情報ＯＤを参照して所定時間の間、操作パネル２０へのユーザー操作がないと判断する（ステップＳ２１０：Ｙｅｓ）。この場合、コントローラ１０は、スキャナ３０の節電状態情報ＳＤを参照することによりスキャナ３０の状態を確認して（ステップＳ２１５）、スキャナ３０が省電力状態であるか否かを判断する（ステップＳ２２０）。スキャナ３０が省電力状態となっていなければ（ステップＳ２２０：Ｎｏ）、スキャナ３０が動作しているので、操作パネル２０の節電制御を行うことなくステップＳ２００に戻る。
【００６０】
スキャナ３０が省電力状態となっていれば（ステップＳ２２０：Ｙｅｓ）、次に、コントローラ１０は、印刷エンジン４０の節電状態情報ＳＤを参照することにより印刷エンジン４０の状態を確認して（ステップＳ２２５）、印刷エンジン４０が省電力状態であるか否かを判断する（ステップＳ２３０）。印刷エンジン４０が省電力状態となっていなければ（ステップＳ２３０：Ｎｏ）、印刷エンジン４０が動作しているので、操作パネル２０の節電制御を行うことなくステップＳ２００に戻る。
【００６１】
印刷エンジン４０が省電力状態となっていれば（ステップＳ２３０：Ｙｅｓ）、スキャナ３０および印刷エンジン４０が共に省電力状態となっており、操作パネル２０についても所定時間以上の間、操作パネル２０へのユーザー操作がない状態であるので、操作パネル２０を省電力状態とするべく、操作パネル２０に節電の指示を出す（ステップＳ２３５）。指示を出した後、コントローラ１０側の処理はステップＳ２００に戻る。
【００６２】
こうして、コントローラ１０から操作パネル２０に対して節電が指示されると、操作パネル２０側のパネル節電制御処理においては、図５のフローチャートにおけるステップＳ３００の判断において節電の指示あり（ステップＳ３００：Ｙｅｓ）と判断されて、パネル節電制御部２２は操作パネル２０の節電制御を行い（ステップＳ３０５）。すなわち、タッチパネル２１の光源を消灯する制御や、タッチパネル２１を駆動するドライバ回路等への電力供給を切断もしくは供給電力を低減する制御等を行うことにより、操作パネル２０を電力消費を抑制した省電力状態に移行させる。そして、パネル節電制御部２２は、省電力状態を示す節電状態情報ＳＤを操作パネル２０のメモリに記憶して、節電状態情報ＳＤを更新する（ステップＳ３１０）。これにより、複合機１は、スキャナ３０、印刷エンジン４０、操作パネル２０がそれぞれ省電力状態となり（図２に示すパターンＥの状態）、タッチパネル２１による表示が行われないようになるので、ユーザーはタッチパネル２１の状態を目視することによって、複合機１が省電力状態であると認識することができる。
【００６３】
そして、操作パネル２０側のパネル節電制御処理において、操作パネル２０が省電力状態となって、操作パネル２０の節電状態情報ＳＤが省電力状態に更新されると、コントローラ１０側のパネル節電制御処理では、図４のフローチャートにおけるステップＳ２０５の判断において操作パネル２０が省電力状態であると判断されるようになり（ステップＳ２０５：Ｙｅｓ）、以後、コントローラ１０はスキャナ３０と印刷エンジン４０の状態を監視する。すなわち、コントローラ１０は、スキャナ３０の節電状態情報ＳＤを参照することによりスキャナ３０の状態を確認して（ステップＳ２４０）、スキャナ３０が省電力状態であるか否かを判断する（ステップＳ２４５）。スキャナ３０が省電力状態であれば（ステップＳ２４５：Ｙｅｓ）、次に、コントローラ１０は、印刷エンジン４０の節電状態情報ＳＤを参照することにより印刷エンジン４０の状態を確認して（ステップＳ２５０）、印刷エンジン４０が省電力状態であるか否かを判断する（ステップＳ２５５）。
【００６４】
印刷エンジン４０が省電力状態であれば（ステップＳ２５５：Ｙｅｓ）、スキャナ３０および印刷エンジン４０が共に省電力状態であるので、操作パネル２０についても省電力状態を維持したまま、ステップＳ２００に戻って、ステップＳ２００，Ｓ２０５，Ｓ２４０，Ｓ２４５，Ｓ２５０，Ｓ２５５の処理を繰り返す。
【００６５】
また、操作パネル２０の節電制御が行われた後にスキャナ３０の使用があり、スキャナ３０の節電制御が解除されると（図２のパターンＣの状態）、スキャナ３０が省電力状態でないと判断されて（ステップＳ２４５：Ｎｏ）、コントローラ１０は、操作パネル２０に節電解除の指示を出す（ステップＳ２６０）。その後、ステップＳ２００に戻って処理を繰り返す。
【００６６】
同様に、操作パネル２０の節電制御が行われた後に印刷エンジン４０の使用があり、印刷エンジン４０の節電制御が解除されると（図２のパターンＢの状態）、印刷エンジン４０が省電力状態でないと判断されて（ステップＳ２５５：Ｎｏ）、コントローラ１０は、操作パネル２０に節電解除の指示を出す（ステップＳ２６０）。その後、ステップＳ２００に戻って処理を繰り返す。
【００６７】
こうして、コントローラ１０が操作パネル２０に対して節電解除の指示を出すと、操作パネル２０側のパネル節電制御処理では、節電解除の指示を受けて、図５のステップＳ３１５の判断において節電解除の指示ありと判断されて（ステップＳ３１５：Ｙｅｓ）、操作パネル２０の節電制御を解除する（ステップＳ３２０）。すなわち、操作パネル２０を非省電力状態に移行させる。これにより、タッチパネル２１による表示が行われるようになるため、ユーザーはタッチパネル２１の表示を目視することによって、複合機１が動作していると認識できる。そして、非省電力状態を示す節電状態情報ＳＤを操作パネル２０のメモリに記憶することにより、節電状態情報ＳＤが更新される（ステップＳ３２５）。
【００６８】
また、操作パネル２０側のパネル節電制御処理において、操作パネル２０にユーザー操作が加えられると（図２のパターンＤの状態）、パネル節電制御部２２はユーザー操作あり（ステップＳ３３０：Ｙｅｓ）と判断して、ステップＳ３３５に進む。
【００６９】
ステップＳ３３５では、操作パネル２０が省電力状態であったときにはパネル節電制御部２２は、操作パネル２０を非省電力状態として節電制御を解除すると共に、操作パネル２０の節電状態情報ＳＤを更新して、ユーザー操作に応じた操作信号をコントローラ１０に受け渡す操作処理を行う。そして、ステップＳ３３５の処理終了後、もしくはステップＳ３３５の処理と並列してステップＳ３４０の処理を実行する。ステップＳ３４０では、「ユーザー操作あり」を示す操作状況情報ＯＤを操作パネル２０のメモリに記憶することにより操作状況情報ＯＤを更新する（ステップＳ３４０）。そして、タイマが起動していればタイマを停止してから（ステップＳ３４５）、ステップＳ３００に戻る。
【００７０】
こうして操作パネル２０側のパネル節電制御処理において、操作パネル２０の節電制御が解除されて、操作パネル２０のメモリに非省電力状態を示す節電状態情報ＳＤが格納されると、コントローラ１０側のパネル節電制御処理では、図４のステップＳ２０５の判断において再び省電力状態でないと判断されるようになる（ステップＳ２０５：Ｎｏ）。以後、スキャナ３０および印刷エンジン４０が共に省電力状態と確認できるまで、ステップＳ２００，Ｓ２０５，Ｓ２１０〜Ｓ２３０の処理が繰り返し行われる。
【００７１】
以上に述べたように、本複合機１では、操作パネル２０へのユーザー操作がなく所定時間が経過した後、スキャナ３０および印刷エンジン４０が共に省電力状態となっている場合に（図２のパターンＥ参照）、操作パネル２０の節電制御が行われて省電力状態となる。また、スキャナ３０または印刷エンジン４０の一方について省電力状態が解除された場合、操作パネル２０の節電制御も解除されて非省電力状態となり、タッチパネル２１による表示が行われる。したがって、操作パネル２０が省電力状態である場合は、スキャナ３０および印刷エンジン４０についても省電力状態であり、ユーザーが、タッチパネル２１の表示等、操作パネル２０の状態から複合機１の状態を判断したときに、スキャナ３０および印刷エンジン４０を含めた複合機１の状態が非省電力状態であるか省電力状態であるかを、その外見から簡単且つ正確に認識することができる。このため、ユーザーにとって使い勝手に優れた省電力制御を実現することができる。
【００７２】
また、ファクシミリ部５０がファクシミリ通信を行う場合、コントローラ１０は、ファクシミリ通信によりプリント動作またはスキャナ動作を伴うか否かにより操作パネル２０の節電制御が行われる。すなわち、原稿のファクシミリデータを送信するファクシミリ送信を行う場合、スキャナ３０に原稿を読み取らせるために、コントローラ１０がスキャナ３０に読取指示を出すので、スキャナ３０は節電制御が解除されて非省電力状態となり、これに伴って操作パネル２０の節電制御も解除されて非省電力状態となる。ファクシミリデータを受信するファクシミリ受信を行う場合、印刷エンジン４０にファクシミリデータの印刷を行わせるため、コントローラ１０が印刷エンジン４０に印刷指示を出すので、印刷エンジン４０の節電制御が解除され、これに伴い操作パネル２０の節電制御も解除されて非省電力状態となる。
【００７３】
しかし、ファクシミリ送信機能のうち自動リダイヤル機能によるファクシミリ送信を行う場合には、スキャナ３０はリダイヤル前の読取指示により原稿を読み取っており、ファクシミリ送信時に読取指示を受けず、ユーザーから操作パネル２０への再送信の操作もなく自動再送信されるので、操作パネル２０の節電制御は解除されない。また、時間帯指定機能が有効な場合は、指定時間外の時間帯にファクシミリデータを受信したときに、印刷エンジン４０が印刷指示を受けることがないので、操作パネル２０の節電制御は解除されない。したがって、リダイヤルのファクシミリ送信や指定時間帯以外の時間帯のファクシミリ受信を行う際に、操作パネル２０の節電制御が解除されることによる無駄な電力消費がなくなり、操作パネル２０の省電力化を図ることができる。
【００７４】
以上、画像処理装置の一実施例について説明したが、これに限られることなく、以下の変形例としてもよい。
【００７５】
（変形例１）上記実施例では、画像処理装置の一例として、スキャナ３０、印刷エンジン４０およびファクシミリ部５０を備えた複合機１について説明したが、これらの全ての構成を備えた装置に限られるものではない。すなわち、操作パネルを備えた装置であれば、スキャナ３０または印刷エンジン４０の一方を備えた装置や、ファクシミリ部５０を備えることなく、スキャナ３０および印刷エンジン４０を備えた装置であってもよい。
【００７６】
（変形例２）上記実施例では、装置外部に露出した操作パネル２０に備わるタッチパネル２１の表示により、ユーザーは複合機１が非省電力状態であることを知ることができたが、複合機１が非省電力状態であることを通知する手法としては、操作パネル２０によるものであれば、タッチパネル２１の表示に限られない。例えば、通常の表示パネルによる表示や、操作パネル２０の操作ボタンに備わる照明等によって、非省電力状態であることがパネルの外見から分かるようになっていてもよい。
【００７７】
（変形例３）上記実施例では、コントローラ１０からの指示を受けて、操作パネル２０内部のパネル節電制御部２２によって節電制御が行われたが、コントローラ１０が操作パネル２０の節電制御を直接行う構成としてもよい。この場合、操作パネル２０に対する節電状態情報ＳＤおよび操作状況情報ＯＤをＲＡＭ１３の所定のメモリ領域に格納することによって、操作パネル２０の状態を監視する構成とするとよい。
【００７８】
（変形例４）上記実施例では、操作パネル２０、スキャナ３０および印刷エンジン４０は、省電力状態と省電力状態の制御が解除された非省電力状態との２つの状態のいずれかに制御されるようになっていたが、さらに多段階の制御を行うようにしてもよい。例えば、操作パネル２０へのユーザー操作が所定時間ない場合に、タッチパネル２１の表示を行い、操作ボタン等への電力供給を低減または切断することにより第１の省電力状態とする。そして、操作パネル２０が第１の省電力状態になっているときに、スキャナ３０および印刷エンジン４０が省電力状態であることが確認できた場合に、タッチパネル２１の表示を中止することによりさらに消費電力を低減させた第２の省電力状態に制御するようにしてもよい。
【図面の簡単な説明】
【００７９】
【図１】本実施例に係る複合機の構成を示した図。
【図２】操作パネルの節電制御を説明するための図。
【図３】スキャナ節電制御処理の流れを示したフローチャート。
【図４】コントローラ側で実行されるパネル節電制御処理の流れを示したフローチャート。
【図５】操作パネル側で実行されるパネル節電制御処理の流れを示したフローチャート。
【符号の説明】
【００８０】
１…画像処理装置としての複合機、２…コンピュータ、３…ファクシミリ装置、１０…制御部としてのコントローラ、１１…ＣＰＵ、１２…ＲＯＭ、１３…ＲＡＭ、１４…ハードディスクドライブ、１５…ネットワークＩ／Ｆ、１６…ファクシミリＩ／Ｆ、１７…パネルＩ／Ｆ、１８…スキャナＩ／Ｆ、１９…印刷エンジンＩ／Ｆ、２０…操作パネル、２１…表示部としてのタッチパネル、２２…パネル節電制御部、３０…読取部としてのスキャナ、３１…読取機構部、３２…スキャナ節電制御部、４０…印刷部としての印刷エンジン、４１…印刷機構部、４２…エンジン節電制御部、５０…通信部としてのファクシミリ部、ＳＤ…節電状態情報、ＯＤ…操作状況情報。
【図１】
2009268046.tif 000003
【図２】
2009268046.tif 000004
【図３】
2009268046.tif 000005
【図４】
2009268046.tif 000006
【図５】
2009268046.tif 000007